(57)【要約】  コンピュータ用入力装置において、複数の導電性パッドのうち２以上のパッドが互いに接触すれば接触したパッドの間に電気信号が流れるようになる。入力装置の本体部のマイクロコントローラは、この電気信号を検出して互いに接触したパッドを検知し、互いに接触したパッドに割り当てられた入力信号を発生させる。パッドは、振動センサーをさらに含むことができ、この場合、マイクロコントローラは、振動センサーの信号を解釈して接触したパッドを叩いた打撃強度情報を検知し、接触したパッド情報とともに通信部を通じて外部装置やＰＣに伝送することを特徴とする接触スイッチを利用したコンピュータ用入力装置。
2008545176.tif 000002
【特許請求の範囲】
【請求項１】
コンピュータ用入力装置において、
互いに接触しないように距離を置いて配列された複数の導電性パッドを含むパッド部と、
前記パッド部の２つ以上の導電性パッドの接触有無を検出して、互いに接触したパッドの対を認識し、認識されたパッドの対に対応する入力信号を発生させるマイクロコントローラを含む本体部とを備えることを特徴とする接触スイッチを利用したコンピュータ用入力装置。
【請求項２】
本体部は、マイクロコントローラから発生する入力信号を外部装置に伝送する通信部を備えることを特徴とする請求項１に記載の接触スイッチを利用したコンピュータ用入力装置。
【請求項３】
パッド部は、右手に着用したり右手で握ることができる形態の導電性パッドを含む右手装部と、
左手に着用したり左手で握ることができる形態の導電性パッドを含む左手装部と、
前記右手装部と左手装部に含まれない導電性パッドを含む非手装部の３つのうち２つ以上を備えることを特徴とする請求項１に記載の接触スイッチを利用したコンピュータ用入力装置。
【請求項４】
パッド部は、右手装部、左手装部、及び非手装部のうちの２つを含み、このうちの１つである第１パッド部は、プルアップ抵抗により電源電圧が加えられる状態で本体部のマイクロコントローラの互いに異なる入力ポートに接続される導電性パッドを含み、
第２パッド部は、本体部のマイクロコントローラの互いに異なる出力ポートに接続される導電性パッドを含み、
本体部は、複数個の出力ポートから交互に一瞬間に１つの出力ポートにのみ０ボルトを出力し、他の出力ポートには５ボルトを出力し、これと並行して入力ポートを検査して電圧降下が感知された入力ポートと、このとき０ボルトを出力した出力ポートより互いに接触したパッドの対を認識するマイクロコントローラを備えることを特徴とする請求項３に記載の接触スイッチを利用したコンピュータ用入力装置。
【請求項５】
左手装部と右手装部は、プルアップ抵抗により電源電圧が加えられる状態で本体部のマイクロコントローラの互いに異なる入出力兼用ポート接続される導電性パッドを含み、
非手装部は、プルアップ抵抗により電源電圧が加えられる状態でマイクロコントローラの互いに異なる入力ポートに接続される導電性パッドを含み、
本体部は、一瞬間に左手装の導電性パッドに接続された入出力兼用ポートが出力ポートとして設定され、右手装の導電性パッドに接続された入出力兼用ポートは入力ポートとして設定される動作モード１と、これと反対に左手装の導電性パッドに接続された入出力兼用ポートが入力ポートとして設定され、右手装の導電性パッドに接続された入出力兼用ポートは、出力ポートとして設定される動作モード２の間を反復して往復しながら与えられた動作モードの複数個の出力ポートから交互に一瞬間に１つの出力ポートにのみ０ボルトを出力し、他の出力ポートには５ボルトを出力し、これと並行して入力ポートを検査して電圧降下が感知された入力ポートと、このとき０ボルトを出力した出力ポートより互いに接触したパッドの対を認識するマイクロコントローラを備えることを特徴とする請求項３に記載の接触スイッチを利用したコンピュータ用入力装置。
【請求項６】
左手装部と右手装部は、プルアップ抵抗により電源電圧が加えられる状態で本体部のマイクロコントローラの互いに異なる入出力兼用ポートに接続される導電性パッドを含み、
非手装部は、マイクロコントローラの互いに異なる出力ポートに接続される導電性パッドを含み、
本体部は、ある瞬間には左手装の導電性パッドに接続された入出力兼用ポートが出力ポートとして設定され、右手装の導電性パッドに接続された入出力兼用ポートは入力ポートとして設定される動作モード１と、これと反対に左手装の導電性パッドに接続された入出力兼用ポートが入力ポートとして設定され、右手装の導電性パッドに接続された入出力兼用ポートは出力ポートとして設定される動作モード２とを反復して往復しながら与えられた動作モードの複数個の出力ポートから交互に一瞬間に１つの出力ポートにのみ０ボルトを出力し、他の出力ポートには５ボルトを出力し、これと並行して入力ポートを検査して電圧降下が感知された入力ポートと、このとき０ボルトを出力した出力ポートより互いに接触したパッドの対を認識するマイクロコントローラを備えることを特徴とする請求項３に記載の接触スイッチを利用したコンピュータ用入力装置。
【請求項７】
パッド部は、導電性パッドが織物形態に形成された非手装部と、１つの導電性パッドを含むスタイラスペン型パッド部を備え、
本体部は、前記スタイラスペン型パッド部のパッドが前記非手装部に接触した位置の２次元座標値を算出するマイクロコントローラを備えることを特徴とする請求項３に記載の接触スイッチを利用したコンピュータ用入力装置。
【請求項８】
非手装部は、一面が不導体で、他面は導体である薄くて長いテープを横糸及び縦糸として、すべてのテープの導体面が同一面を向ける織物形態の導電性パッドを備えることを特徴とする請求項７に記載の接触スイッチを利用したコンピュータ用入力装置。
【請求項９】
非手装部は、プルアップ抵抗により電源電圧が加えられる状態で本体部のマイクロコントローラの互いに異なる入力ポートに接続される横糸を構成する導電性パッドと、
本体部のマイクロコントローラの互いに異なる出力ポートに接続されて縦糸を構成する導電性パッドを含み、
本体部は、複数個の出力ポートから交互に一瞬間に１つの出力ポートにのみ０ボルトを出力し、他の出力ポートには５ボルトを出力し、これと並行して入力ポートを検査して電圧降下が感知された入力ポートと、このとき０ボルトを出力した出力ポートより互いに接触したパッドの対を認識し、認識された互いに接触した対の横糸と縦糸の番号により決定される座標の重心の座標を生成することを特徴とする請求項８に記載の接触スイッチを利用したコンピュータ用入力装置。
【請求項１０】
パッド部は、右手装部と左手装部、及び非手装部のうちの２つを含み、
前記パッド部のうちの１つである第１パッド部は、本体部に有線で接続される導電性パッドを含み、
他のパッド部である第２パッド部は、導電性パッドと、
前記導電性パッドに接続されて交流電源が感知されればトリガー信号を出力する接触感知部と、
前記接触感知部のトリガー信号により固有のＩＤを電波で送信する無線信号放射部で構成される無線パッド部を複数含み、
本体部は、前記第１パッド部の導電性パッドが出力の一端に接続された交流信号を印加する交流電源部と、
前記無線信号放射部から放射された電波を受信して分析してＩＤを認識する無線信号受信部と、
前記無線信号受信部に受信されたＩＤに対応する入力信号を生成するマイクロコントローラとを備えることを特徴とする請求項３に記載の接触スイッチを利用したコンピュータ用入力装置。
【請求項１１】
パッド部は、右手装部と左手装部、及び非手装部のうちの２つを含み、
前記２つのパッド部のうちの１つである第１パッド部は、本体部に有線で接続される複数の導電性パッドを含み、
第２パッド部は、導電性パッドと、
前記導電性パッド部に接続されて電気信号を感知すればトリガー信号を出力する接触感知部と、
前記接触感知部のトリガー信号により固有のＩＤを電波で送信する無線信号放射部で構成された無線パッド部を複数含み、
本体部は、交流信号を印加する交流電源部と、
前記交流電源部の出力の一端がスイッチの共通端子に接続され、スイッチの他の端子に前記第１パッド部の導電性パッドが接続されたアナログマルチプレクサーと、
前記第２パッド部の無線信号放射部から放射された電波を受信し分析してＩＤを認識する無線信号受信部と、
前記アナログマルチプレクサー内のスイッチを交互に一瞬間に１つのスイッチのみＯｎにするとともに、前記無線信号受信部に受信されたＩＤと、ＩＤが受信されたときＯｎになったアナログマルチプレクサー内のスイッチ番号に対応する入力信号を生成するマイクロコントローラとを備えることを特徴とする請求項３に記載の接触スイッチを利用したコンピュータ用入力装置。
【請求項１２】
手袋部は、左手装部、右手装部、及び非手袋部を含み
前記非手装部は、導電性パッドと、
前記導電性パッドに入力端が接続された交流電気信号を感知すれば、トリガー信号を出力する接触感知部と、
前記接触感知部のトリガー信号により固有のＩＤを電波で送信する無線信号放射部で構成された無線パッド部を複数含み、
本体部は、前記左手装部に有線で接続された第１本体部と、
前記右手装部に有線で接続された第２本体部とを備えることを特徴とする請求項３に記載の接触スイッチを利用したコンピュータ用入力装置。
【請求項１３】
第１本体部は、交流電気信号を発生させる第１交流電源部と、
前記第１交流電源部の出力の一端がスイッチの共通端子に接続され、スイッチの他の端子に左手装部のパッドが接続された第１アナログマルチプレクサーと、
前記第１アナログマルチプレクサーを周期的に活性／非活性化させる活性／非活性信号を発生させる第１マイクロコントローラと、
前記活性／非活性信号を無線電波で放射する動作モード電波送信部とを備え、
第２本体部は、交流電気信号を発生させる第２交流電源部と、
前記第２交流電源の出力の一端がスイッチの共通端子に接続され、スイッチの他の端子に右手装部のパッドが接続された第２アナログマルチプレクサーと、
交流電気信号を感知すればトリガー信号を出力する接触感知部と、
前記接触感知部のトリガー信号により固有ＩＤを電波で送信する無線信号放射部と、
右手装部のパッドがスイッチの一端に接続され、他の一端に前記接触感知部の入力端が接続された１つのスイッチからなるアナログマルチプレクサーと、
前記第１本体部の動作モード電波送信部から送信された電波信号を受信する動作モード電波受信部と、
前記動作モード電波受信部で受信された信号によって前記第２アナログマルチプレクサーを非活性／活性化させ、同一周期で前記１つのスイッチからなるアナログマルチプレクサーを反対に活性／非活性化させる第２マイクロコントローラとを備えることを特徴とする請求項１２に記載の接触スイッチを利用したコンピュータ用入力装置。
【請求項１４】
第１本体部は、第２本体部と非手装部に含まれた無線信号放射部から放射された電波を受信し分析してＩＤを認識する第１無線信号受信部と
第１アナログマルチプレクサー内のスイッチを交互に一瞬間に１つのスイッチのみＯｎにするとともに、前記第１無線信号受信部に受信されたＩＤと、ＩＤが受信された瞬間Ｏｎになった第１アナログマルチプレクサー内のスイッチ番号に対応する入力信号を生成する第１マイクロコントローラとを備え、
第２本体部は、非手装部に含まれた無線信号放射部から放射された電波を受信し分析してＩＤを認識する第２無線信号受信部と、
動作モード電波受信部で受信された信号により第２アナログマルチプレクサーが活性化している間に第２アナログマルチプレクサー内のスイッチを交互に一瞬間に１つのスイッチのみＯｎにするとともに、前記第２無線信号受信部に受信されたＩＤと、ＩＤが受信された瞬間Ｏｎになった第２アナログマルチプレクサー内のスイッチ番号に対応する入力信号を生成する第２マイクロコントローラとを備えることを特徴とする請求項１３に記載の接触スイッチを利用したコンピュータ用入力装置。
【請求項１５】
前記スタイラスペン型パッド部は、導電性パッドと、
前記導電性パッドに入力端が接続された交流信号を感知したときトリガー信号を出力する接触感知部と、
前記接触感知部のトリガー信号により固有のＩＤを電波で送信する無線信号放射部とを備え、
本体部は、交流電気信号を印加する交流電源部と、
前記交流電源部の出力の一端がスイッチの共通端子に接続され、スイッチの他端が非手装部の横糸と縦糸を構成する導電性パッドに接続されたアナログマルチプレクサーと、
前記スタイラスペン型パッド部の無線信号放射部から放射された電波を受信し分析してＩＤを認識する無線信号受信部と、
前記アナログマルチプレクサー内のスイッチを交互に一瞬間に１つのスイッチのみＯｎにするとともに、前記無線信号受信部でＩＤが受信された瞬間Ｏｎになったアナログマルチプレクサー内のスイッチに接続された前記非手装部の横糸と縦糸の番号をそれぞれ座標のｘまたはｙ座標にし、この座標の重心の座標を生成するマイクロコントローラとを備えることを特徴とする請求項８に記載の接触スイッチを利用したコンピュータ用入力装置。
【請求項１６】
接触感知部は、導電性パッドに一端が接続された抵抗と、
前記抵抗の両端間の交流電位を整流する整流部とを備え、前記整流部から出力された電圧の変化を感知して接触を感知することを特徴とする請求項１０〜請求項１５のいずれか一項に記載の接触スイッチを利用したコンピュータ用入力装置。
【請求項１７】
パッド部は、右手装部と左手装部、及び非手装部のうち２つを含み、
前記２つのパッドのうち１つである第１パッド部は、本体部に有線で請求項される導電性パッドを含み、
第２パッド部は、本体部に接続されない導電性パッドと、
前記導電性パッドに固有の交流信号を印加する交流信号発生部を含むパッド部を複数個含み、
本体部は、前記第１パッド部の導電性パッドが入力端に接続された交流信号を認識する交流信号認識部と、
前記交流認識部で認識した交流信号より接触したパッドを検知し、このパッドに対応するキー入力信号を発生させるマイクロコントローラとを備えることを特徴とする請求項３に記載の接触スイッチを利用したコンピュータ用入力装置。
【請求項１８】
パッド部は、右手装部と左手装部、及び非手装部のうちの２つを含み、
このうちの第１パッド部は、本体部に有線で接続された複数の導電性パッドを含み、
第２パッド部は、固有の交流信号を印加する交流信号生成部が接続された導電性パッドで構成されたパッド部を複数個含み、
本体部は、交流信号を認識する交流信号認識部と、
前記交流信号認識部の入力端子がスイッチの共通端子に接続され、スイッチの他の端子に前記第１パッド部の導電性パッドが接続されたアナログマルチプレクサーと、
前記アナログマルチプレクサー内のスイッチに交互に一瞬間に１つのスイッチのみＯｎにするとともに、前記交流信号認識部で認識された交流信号ＩＤと、前記交流信号ＩＤが感知された瞬間Ｏｎになったアナログマルチプレクサー内のスイッチ番号に対応する入力信号を生成するマイクロコントローラとを備えることを特徴とする請求項３に記載の接触スイッチを利用したコンピュータ用入力装置。
【請求項１９】
パッド部は、左手装部、右手装部、及び非手装部を含み、
前記非手装部は、導電性パッドと、
前記導電性パッドに固有の交流信号を印加する交流信号生成部とを含み、
本体部は、左手装部に有線で接続された第１本体部と、
右手装部に有線で接続された第２本体部とを備えることを特徴とする請求項３に記載の接触スイッチを利用したコンピュータ用入力装置。
【請求項２０】
前記第１本体部は、交流信号を認識する第１交流信号認識部と、
前記第１交流信号認識部の入力端子がスイッチの共通端子に接続され、スイッチの他の端子に左手装部の導電性パッドが接続された第１アナログマルチプレクサーと、
前記第１アナログマルチプレクサー内のスイッチを交互に一瞬間に１つのスイッチのみＯｎにするとともに、前記第１交流信号認識部で認識された交流信号ＩＤと、前記交流信号ＩＤが認識された瞬間Ｏｎになった第１アナログマルチプレクサー内のスイッチ番号に対応する入力信号を生成する第１マイクロコントローラとを備え、
前記第２本体部は、固有の信号を発生させる交流信号生成部と、
スイッチの一端が前記交流信号生成部の出力端に接続され、スイッチの他端は右手装部のパッドに接続されたスイッチが１つであるアナログマルチプレクサーと、
交流信号を認識する第２交流信号認識部と、
前記第２交流信号認識部の入力端子がスイッチの共通端子に接続され、スイッチの他の端子に右手装部のパッドが接続された第２アナログマルチプレクサーと、
前記スイッチが１つであるアナログマルチプレクサーを周期的に活性／非活性化させ、前記第２アナログマルチプレクサーを同一周期で反対に非活性／活性化させる信号を出力する第２マイクロコントローラとを備えることを特徴とする請求項１９に記載の接触スイッチを利用したコンピュータ用入力装置。
【請求項２１】
第２本体部は、第２アナログマルチプレクサーを活性化する間に第２アナログマルチプレクサー内のスイッチを交互に一瞬間に１つのスイッチのみＯｎにするとともに、前記第２交流信号認識部で認識された交流信号ＩＤと、前記交流信号ＩＤが感知された瞬間Ｏｎになった第２アナログマルチプレクサー内のスイッチ番号に対応する入力信号を生成する第２マイクロコントローラとを備えることを特徴とする請求項２０に記載の接触スイッチを利用したコンピュータ用入力装置。
【請求項２２】
前記スタイラスペン型パッド部は、導電性パッドと、
前記導電性パッドに固有の交流信号を印加する交流信号発生部とを含み、
本体部は、交流信号を認識する交流信号認識部と、
前記交流信号認識部の一端がスイッチの共通端子に接続され、スイッチの他の端子に非手装部の横糸と縦糸を構成する導電性パッドが接続されたアナログマルチプレクサーと、
前記アナログマルチプレクサー内のスイッチを交互に一瞬間に１つのスイッチのみＯｎにするとともに、前記交流信号認識部で交流信号が検出された瞬間Ｏｎになったアナログマルチプレクサー内のスイッチに接続された前記非手装部の横糸と縦糸の番号をそれぞれ座標のｘまたはｙ座標にし、この座標の重心の座標を生成するマイクロコントローラとを備えることを特徴とする請求項８に記載の接触スイッチを利用したコンピュータ用入力装置。
【請求項２３】
前記交流信号生成部は、互いに異なる固有の周波数の交流を発生させる電源を含み、
交流信号認識部は、特定周波数の交流信号のみ通過させるバンドパスフィルターと前記バンドパスフィルターを通過した交流を整流する整流回路を有して、特定周波数の交流信号が印加される場合のみ直流電圧を出力することを特徴とする請求項１７〜請求項２２のいずれか一項に記載の接触スイッチを利用したコンピュータ用入力装置。
【請求項２４】
パッド部は、振動を感知する振動センサーを含み、
本体部は、前記振動センサーの出力信号を解釈してパッドが接触した衝撃の強度を認識して衝撃の強度信号を発生させるマイクロコントローラを備えることを特徴とする請求項１に記載の接触スイッチを利用したコンピュータ用入力装置。
【発明の詳細な説明】
【技術分野】
【０００１】
本発明は、接触スイッチを利用したコンピュータ用入力装置に関し、電気信号が与えられた複数の導電性パッドのうち２つ以上のパッドが接触すると、互いに接触したパッド間のスイッチング作用により電気信号が発生し、この信号を解釈して互いに接触したパッドを検知し、パッドに付着された振動センサーの信号によりパッドの衝撃強度を検出して接触したパッド情報と衝撃強度の情報をコンピュータに入力する装置である。
【背景技術】
【０００２】
従来のコンピュータ用入力装置にはキーボードやマウスがあり、ＰＤＡやスマートフォンのような携帯用コンピュータの入力装置には小さな面積に高密度で配列された複数のボタンからなるキーボードと、小型の画面上をスタイラスペンでやわらかくタッチして座標値を入力するポインティング装置がある。キーボードやマウスは、机の上で入力作業するものであるので携帯用装置として使用することができない。これと異なり、携帯用コンピュータの場合には、携帯して入力することはできるものの、一手でＰＤＡやスマートフォンを握り、もう一手でスタイラスペンを握るかボタンを押して入力するため、入力作業をするとき細心な注意が必要である。走っているときや運転及び運動中には使用が困難である。また、入力作業を行う際には押すべきボタンの指先や、画面上のスタイラスペンの位置を目で確認しなければならず、視線を入力装置に置く必要があり、入力作業を行うために他の作業を中断しなければならないという不便がある。
【発明の開示】
【発明が解決しようとする課題】
【０００３】
そこで、本発明の目的は、既存のコンピュータ入力装置の限界を解決し、入力作業時に使用者の身体に簡単に着用することにより、活動を制限することなく目で確認する必要のない、安価な入力装置を提供することである。
【課題を解決するための手段】
【０００４】
本発明によれば、入力装置に視線を置く必要がなく身体に着用した手袋や衣服を拍手するように手で特定部位のパッドをたたいたり接触するだけで入力することができるので、時間や場所に関係なく入力作業が可能で、且つ歩くときや走るときも入力することができる。さらに、既存のキーボードやマウスのケースを製造するための高価な金型を製造する代わりに、内部構造がない安価な導電性パッドを用いて入力装置を構成するので、生産コストを低減させることができる。現在、着るコンピュータの出力画面を眼鏡の形態にしたＮＥＤ（ｎｅａｒ  ｅｙｅ  Ｄｉｓｐｌａｙ）の開発が進んでいる。ＮＥＤは透明なディスプレイ装置であって、外部環境とディスプレイの内容を同時に見ることができる装置である。このようなディスプレイとともに本発明による入力装置を身体に着用して使用する場合、ＮＥＤを通じて外部環境を見ながら、同時に入力作業を行うことができるようになり、産業現場や救急室、警察署、消防署、軍部隊などの緊急現場でも活動を制限することなく入力作業を行うことができ、作業効率を向上させることができる。
【発明の効果】
【０００５】
本発明による接触スイッチを利用したコンピュータ用入力装置によれば、既存のデスクトップコンピュータ用のキーボードやマウスは重くて硬いケースで製造されるので、金型の製造費用が多くかかり、装置自体の体積が大きい反面、本発明の入力装置は、内部構造のない薄い布やゴムのような柔らかなパッドで構成されるので安価であり、折ったり巻いて小さな空間に保管したり移動したりすることができる。また、身体に簡単に着用できるので活動中にも入力作業を容易に行うことができ、着るコンピュータの使用効率を向上させることができる。
【発明を実施するための最良の形態】
【０００６】
本発明の入力装置は、構成方式によって有線方式と無線方式、及び準無線方式の３つに分けられる。有線方式は図１に示すように、マイクロコントローラが含まれた本体部（Ｍ）と、前記マイクロコントローラの入出力ポートに電線で接続される導電性パッドを含むパッド部（Ｐ）とで構成される。無線方式は、一部パッドと本体の間の電線がない代わりに、無線電波（ｒａｄｉｏ  ｆｒｅｑｕｅｎｃｙ）を通じてパッドと本体が連結される。すなわち、準無線方式は、無線方式と同様に、一部のパッドと本体の間の電線がなく、電波を使用しない代わりに交流電気信号を認識することができる信号認識部を含む方式である。
【０００７】
パッド部（Ｐ）は、右手袋部（Ｒｇ）と左手装部（Ｌｇ）、及び非手装部（ＮＧ）のうち２つ以上を含む。また、非手装部は、端子状（ｔｅｒｍｉｎａｌ  ｔｙｐｅ）非手装部と織物状非手装部にさらに分けることができる。パッド部の右手装部や左手装部は、身体に着用しないで手で握ることができるスタイラスペン形態に形成したり、手に着用する手装形態に形成することも可能である。非手装部において小さな導電性物質が接触したり接続されて１つの大きな導体を形成したものを端子パッドといい、図７に示すように、電線または導電性コーティング物質が織物形態を有するもので、それぞれの電線または導電性コーティング物質が互いに絶縁されたものを織物パッドという。図７に示した織物状非手装部のパッドは、薄い絶縁テープ（Ｔｐ）の一面に長く導電性物質（Ｃｔ）がコーティングされている。
【０００８】
図１に、右手装の手のひらに付着されている導電性パッド（ＰｄＲ）、右手装の手の甲に付着されているパッド（ＰｕＲ）、左手装の手のひらに付着されている導電性パッド（ＰｄＬ）、並びに左手装の手の甲に付着されている導電性パッド（ＰｕＬ）が示されている。図１において、左右手袋部に含まれず、非手装部（ＮＧ）に含まれる複数のボタン式の導電性パッド（Ｐｃ）は脚に付着されており、織物状非手装部のパッド（Ｐｍ）は腹に付着されている。本体部（Ｍ）は、通信部（ＣＭ）をさらに備えてもよい。通信部は、直列インタフェース、ｕｓｂインタフェースまたはブルートゥースインタフェースであってもよいが、本体部のマイクロコントローラに小型コンピュータ機能を内蔵した場合は通信部を省略してもよい。
【０００９】
図１に示すように、使用者は両手に複数の導電性パッド（ＰｄＬ、ＰｕＬ、ＰｄＲ、ＰｕＲ）が付着されている手装を着用して拍手をしたり、手装以外の部分に付着されている複数の導電性パッド（Ｐｃ）を叩いてキーボード入力やマウスボタンのクリック入力を行うことができ、また、腹や袖に付着されている織物状非手装部のパッド（Ｐｍ）を図８に示すように、指先やスタイラスペン先に付着された導電性パッド（Ｐｆ）で接触してマウスやジョイスティックのポイント座標を入力することができる。導電性パッド（ＰｄＬ、ＰｕＬ、ＰｄＲ、ＰｕＲ、Ｐｃ）は、電気を通す金属板、金属スプリング、導電性ゴムパッド、または電磁波遮蔽用として使用される金属コーティング織物などで構成される。両手で拍手をしたり導電性パッド（Ｐｃ）を叩くと、接触した２つの導電性パッドはスイッチ作用をして、電気信号が一方のパッドから他方のパッドに流れるようになり、これを本体部（Ｍ）のマイクロコントローラ（ＭＩ）で感知し、どのパッドが互いに接触したかを検出する。このように検出された２つのパッドに割り当てられた入力信号を通信部を介して外部装置に伝送する。本体部のマイクロコントローラに小型コンピュータの機能を内蔵した場合、通信部は省略してもよい。この場合、感知された接触パッドの情報は、本体部に含まれるディスプレイ装置や他の任意の出力装置の入力として使用できる。通信部を介して伝送されるデータは、キーボード信号、マウス信号、ジョイスティック信号、または本発明の固有の入力信号であることができる。
【００１０】
無線方式は、１つ以上のパッドは本体に有線で接続され、この他のパッドは無線電波で本体に接続される形態であって、有線方式の面倒な電線ななくなるが回路が複雑になるという短所がある。
【００１１】
本発明による無線方式の入力装置を同一場所で複数個使用する場合、電波干渉の問題が発生し得る。このような場合は、一部のパッドと本体の間の電線がなく、電波を使用しない準無線方式を使用することが好ましい。
【００１２】
以下、実施例を用いて動作方法を詳細に説明する。
【実施例１】
【００１３】
本実施例では図２に示すように、電気信号（０ボルトの電圧信号）が右手装部（Ｒｇ）から左手装部（Ｌｇ）に流れ、この信号をマイクロコントローラ（ＭＩ）が入力ポートを介して検出して互いに接触した２つのパッドを検知する方法を説明する。ここで、電気信号が右手装部（Ｒｇ）から左手装部（Ｌｇ）に流れることは、マイクロコントローラの出力ポートに接続された右手装部（Ｒｇ）のパッドに加えられた０ボルトの電圧信号が左手装部（Ｌｇ）のパッドを通じてマイクロコントローラの入力ポートに伝達されることを意味する。本実施例では説明上、右手装部のパッドがマイクロコントローラの出力ポートに接続されているが、これと異なり、入力ポートに接続される場合も動作方法は同じである。以下の説明においてマイクロコントローラの入力ポートは添付図面でマイクロコントローラ（ＭＩ）に向けた矢印で示し、出力ポートはマイクロコントローラ（ＭＩ）から出る矢印で示した。
【００１４】
図２において、マイクロコントローラの入力ポートには導電性パッド（ＰｄＬ、ＰｕＬ）が４つ取り付けられている。導電性パッドにはプルアップ（ｐｕｌｌ  ｕｐ）抵抗により電源電圧Ｖｃｃが加えられる。マイクロコントローラは４つの出力ポートにスキャニング信号を出力すると同時に、４つの入力ポートを続けて検査する。ここで、出力ポートにスキャニング信号を出力することは、図３に示すように、一瞬間に１つの出力ポートにのみ０ボルトを出力し、他の出力ポートには５ボルトを出力することを意味する。このとき、出力が０ボルトである出力ポート番号は０から３まで順次に増加した後、再び０になることを反復する。このようにマイクロコントローラは、出力ポートにスキャニング信号を出力すると同時に、これと並行して入力ポートを続けて検査する。使用者がこのようなマイクロコントローラに接続されたパッドが取り付けられた手装を着用して手を打つと、右手装のパッドと左手装のパッドが接触するようになり、接触した左手装のパッドの電圧はＶｃｃから０ボルトに変化し、この変化をマイクロコントローラが入力ポートの電圧を読み取って検出し、接触した２つのパッドに割り当てられたキーボードやマウスボタンの入力信号を通信部（ＣＭ）を介して外部装置に出力する。図６は、このような動作を示したフローチャートである。通信部（ＣＭ）としてはＵＳＢインタフェースを使用することができ、外部装置としてはＰＣやＰＤＡ、スマートフォンを使用することができる。
【００１５】
本実施例では、左右手袋にそれぞれ４つずつ導電性パッドを使用しているので全部で４×４＝１６種の入力信号が可能である。ここで、各手袋に４つずつパッドを付着しているが、実際は４つ以上またはその以下のパッドを付着することができる。
【実施例２】
【００１６】
前記実施例１では、左右側手袋部（Ｌｇ、Ｒｇ）にのみ導電性パッドを付着した場合を説明したが、本実施例では、手袋部以外の非手装部（ＮＧ）もパッド部に含まれる場合を説明する。例えば図１に示すように、膝に非手袋部に含まれるパッド（Ｐｃ）を使用する場合、手袋をした手で膝に位置するパッドを叩いて入力作業を行うことができる。非手装部（ＮＧ）に含まれる導電性パッド（Ｐｃ）は、マイクロコントローラ（ＭＩ）の入力ポートに接続されたり、出力ポートに接続される。本実施例では、図４に示すように、入力ポートに接続される場合を説明する。
【００１７】
図４に示すように、非手装部に含まれる導電性パッド（Ｐｃ）は、マイクロコントローラ（ＭＩ）の入力ポートに接続されるが、左手装部（Ｌｇ）と右手装部（Ｒｇ）の導電性パッド（ＰｄＬ、ＰｕＬ、ＰｄＲ、ＰｕＲ）は、マイクロコントローラ（ＭＩ）の入出力兼用ポートに接続され、すべての導電性パッドにはプルアップ抵抗により電源電圧Ｖｃｃが加えられる。実施例１と異なり、左手装部（Ｌｇ）と右手装部（Ｒｇ）の導電性パッド（ＰｄＬ、ＰｕＬ、ＰｄＲ、ＰｕＲ）がマイクロコントローラ（ＭＩ）の入出力兼用ポートに接続される理由は、手袋どうしの接触だけでなく、手袋と非手装部のパッド（Ｐｃ）の接触も検出するためである。具体的な方法は以下のとおりである。すなわち、一瞬間に左手装部のパッドに付着されたマイクロコントローラの入出力ポートは入力ポートとして、右手装部のパッドに付着されたマイクロコントローラの入出力ポートは出力ポートとして動作する（これを動作モード１という）。また、一定時間が経過すればこれと反対に左手装部のパッドに付着されたマイクロコントローラの入出力ポートは出力ポートとして、右手装部のパッドに付着されたマイクロコントローラの入出力ポートは入力ポートとして動作する（これを動作モード２という）。このように入出力ポートの状態が速い速度で切り替わる場合、両手の手袋部（Ｌｇ、Ｒｇ）で非手装部のパッド（Ｐｃ）を叩いたことも検出することができる。以下に詳細に説明する。
【００１８】
左手装部を出力ポートとして、右手装部を入力ポートとして設定する（動作モード１）。
【００１９】
左手装部の０番出力ポートに０ボルトを、この他の出力ポートに５ボルトを出力する。
【００２０】
右手装部と本体部の入力ポートを検査する。
【００２１】
入力ポートで電圧下降が検出される場合、この瞬間０ボルトを出力した出力ポートと、電圧下降が検出された入力ポートより接触した２つのパッドを検知し、これに対応する信号を発生させる。
【００２２】
左手装の１番〜３番出力ポートに対して上記の（２）〜（４）を繰り返す。
【００２３】
左手装部を入力ポートとして、右手装部を出力ポートとして設定する（動作モード２）。
【００２４】
上記の（２）〜（５）の方法を左右側の手袋が切り替わった入出力状態で反復する。
【００２５】
（１）番から（７）番まで無限に繰り返す。
【実施例３】
【００２６】
本実施例では、前記実施例２の非手装部（ＮＧ）に含まれる導電性パッド（Ｐｃ）がマイクロコントローラ（ＭＩ）の出力ポートに接続される場合を説明する。図５に示すように、非手装部に含まれる導電性パッド（Ｐｃ）は、マイクロコントローラ（ＭＩ）の出力ポートに接続されるが、左手装部（Ｌｇ）と右手装部の導電性パッド（ＰｄＬ、ＰｕＬ、ＰｄＲ、ＰｕＲ）は、マイクロコントローラ（ＭＩ）の入出力兼用ポートに接続され、入出力兼用ポートに接続された導電性パッドにはプルアップ抵抗により電源電圧Ｖｃｃが加えられる。具体的な動作方法は以下のとおりである。すなわち、一瞬間に左手装部のパッドに付着されたマイクロコントローラの入出力ポートは入力ポートとして、右手装部のパッドに付着されたマイクロコントローラの入出力ポートは出力ポートとして動作する（これを動作モード１という）。そして一定時間が経過すれば、これと反対に、左手装部のパッドに付着されたマイクロコントローラの入出力ポートは出力ポートとして、右手装部のパッドに付着されたマイクロコントローラの入出力ポートは入力ポートとして動作する（これを動作モード２という）。このように、入出力ポートの状態が速い速度で切り替わる場合、両手の手袋部（Ｌｇ、Ｒｇ）で手袋以外のパッド（Ｐｃ）を叩くことも検出することができる。以下に詳細に説明する。
【００２７】
（１）左手装部を出力ポートとして、右手装部を入力ポートとして設定する（動作モード１）。
【００２８】
（２）左手装部の出力ポート４つと非手装部（ＮＧ）の導電性パッド（Ｐｃ）が付着されたマイクロコントローラの出力ポート４つに０から７までの出力ポート番号を付ける。このように番号を付けた出力ポートのうち０番出力ポートにのみ０ボルトを出力し、他の７つの出力ポートには５ボルトを出力する。
【００２９】
（３）右手装部の入力ポートを検査する。
【００３０】
（４）入力ポートで電圧下降が検出される場合、この瞬間に０ボルトを出力した出力ポートと、電圧下降が検出された入力ポートより接触した２つのパッドを検知し、これに対応する入力信号を発生させる。
【００３１】
（５）１〜７番の出力ポートに対して各々上記の（２）〜（４）を反復する。
【００３２】
（６）左手装部を入力ポートとして、右手装部を出力ポートとして設定する（動作モード２）。
【００３３】
（７）右手装部の出力ポート４つと非手装部（ＮＧ）の導電性パッド（Ｐｃ）が付着されたマイクロコントローラの出力ポート４つに０から７までの出力ポート番号を付ける。このように番号を付けた出力ポートに対して上記の（２）〜（６）を反復する。
【００３４】
（８）（１）番から（７）番まで無限に繰り返す。
【実施例４】
【００３５】
上記のすべての実施例は、導電性パッドが端子形パッドである。本実施例では、織物形パッドを含む場合を説明する。すなわち本実施例では、パッド部（Ｐ）に右手または左手装部のうちの１つと織物形非手装部が含まれる場合を説明する。この場合、織物形非手装部を左手または右手装部のパッドで接触して、マウスやジョイスティックのようなポインティング機能を行う方法を説明する。以下、織物形非手装部に接触する左手または右手装部のパッド部をスタイラスペン形パッド部という。
【００３６】
図８に示す本実施例を構成する右手または左手装部の指先のパッド（Ｐｆ）または導電性端子からなるスタイラスペンの導電性端子（Ｐｆ）は、マイクロコントローラの入出力ポートに接続されない。図７は、一面のみ導電性物質（Ｃｔ）がコーティングされた薄い不導体テープ（Ｔｐ）を横糸と縦糸とした布状の織物形非手装部のパッドを示す。図８は、このような織物形非手装部のパッド（Ｐｍ）の導電性物質（Ｃｔ）を手袋部の指先の導電性パッド（Ｐｆ）で接触し、接触位置に対する２次元（ｘ、ｙ）座標を入力することを示す。このように入力された座標値を通信部を通じて出力すれば、受信側ではこの信号によりマウスやジョイスティックのポイントを移動させることができる。
【００３７】
動作原理は以下のとおりである。図９を参照すれば、図７と図８の織物形パッドの縦糸と横糸を構成する非導電性テープ（Ｔｐ）上に線状に長くコーティングされた導電性物質（Ｃｔ）がマイクロコントローラの入出力ポートに接続されている。このような回路は、図２に示す回路の導電性パッド（Ｐｕ、Ｐｄ）を布状にして得られる。図９の回路動作方式は、図２の回路動作方式とほぼ同じである。図２では２つのパッドが直接接触するが、図９では指先の導電性パッド（Ｐｆ）を通じて横糸と縦糸上の導電性物質（Ｃｔ）が間接的に接触する。すなわち、指先の導電性パッド（Ｐｆ）で織物形パッドを接触すると、織物形パッドを構成する複数の横糸と縦糸が同時に指先の導電性パッド（Ｐｆ）に接触することになるので、マイクロコントローラの出力ポートからの電気信号が指先の導電性パッド（Ｐｆ）を介してマイクロコントローラの入力ポートに伝達される。例えば、図９のマイクロコントローラの出力ポートｙ１とｙ２に接続された水平線方向の導電性コーティング物質（Ｃｔ）と、マイクロコントローラの入力ポートのうちｘ１とｘ２に接続された垂直線方向の導電性コーティング物質（Ｃｔ）が同時に指先の導電性パッド（Ｐｆ）に接触した状態で、マイクロコントローラが図６に示されるアルゴリズムで互いに接触した横糸と縦糸を検出すれば（ｘ１、ｙ１）、（ｘ１、ｙ２）、（ｘ２、ｙ１）、（ｘ２、ｙ２）の４対が検出され、この４対の重心座標をポイントの座標として選択し、この座標値によってマウスやジョイスティックのポイントを移動させることができる。座標値は、図９に示すように、水平線をｘ軸とし、垂直線をｙ軸としてマイクロコントローラの入力ポート番号ｘ０、ｘ１、ｘ２、…ｘｊ、…と、出力ポート番号ｙ０、ｙ１、ｙ２、…、ｙｉ、…の添字の対（ｊ、ｉ、）を２次元（ｘ、ｙ）座標と決める場合、互いに接触した４対（ｘ１、ｙ１）、（ｘ１、ｙ２）、（ｘ２、ｙ１）、（ｘ２、ｙ２）の座標は（１、１）、（１、２）、（２、１）、（２、２）になるので、この４つの座標の重心値（１．５、１．５）がポイントの座標値になる。図９では説明上、入出力ポート数を簡単に各々４つとしたが、実際は数百個程度とすることが好ましい。このためには、マイクロコントローラの入出力ポート数が多くても数十個であるので、適当な組合回路を使用してマイクロコントローラの入出力ポート数を増やすことで可能である。このようにポート数を増加させる回路は公知技術であるので詳細な説明は省略する。
【００３８】
上記のすべての実施例において、入出力ポート数は説明のために任意に選択したもので変更可能である。また、上記すべての実施例において、０ボルトとＶｃｃとを互いに変え、プルアップ抵抗をプルダウン抵抗に変えた構成も同じ原理で動作し、本発明の構成範囲に含まれるので詳細な説明は省略する。
【実施例５】
【００３９】
以下の実施例では、パッドと本体の間の電線の代わりに無線電波（Ｒａｄｉｏ  Ｆｒｅｑｕｅｎｃｙ）を使用する無線方式を説明する。無線方式は、図１０に示すように、１個以上の導電性パッド（Ｃｐ）は、キー入力信号を外部に伝送する通信部（ＣＭ）とキー入力信号を発生させるマイクロコントローラ（ＭＩ）を含む本体（Ｍ）と電線により接続され、他の導電性パッド（Ｄｐ）は、無線電波により本体（Ｍ）に接続される（本体と電線で接続されるパッド（Ｃｐ）は有線パッド、電波で接続されるパッド（Ｄｐ）は無線パッドという）。無線パッド（Ｄｐ）は、有線パッド（Ｃｐ）が自分（Ｄｐ）と接触したかどうかを感知する接触感知部（Ｒｅ）と、接触が感知される間、各無線パッド（Ｄｐ）に割り当てられた固有の無線信号（無線パッドＩＤ）を電波（Ｒａｄｉｏ  ｗａｖｅ）で放射する無線信号放射部（Ｗａ）とを含む。また、本体（Ｍ）は、無線放射部（Ｗａ）から放射された無線信号を受信して解釈し、接触した無線パッド（Ｄｐ）を検知する無線信号受信部（Ｒｖ）を含む。無線信号受信部（Ｒｖ）から受信された無線パッドＩＤ情報は、マイクロコントローラ（ＭＩ）によりキーボードのキーまたはマウスのボタン入力信号に変わり、通信部（ＣＭ）を介して外部ＰＣや携帯用コンピュータに伝送される。無線信号放射部（Ｗａ）と無線信号受信部（Ｒｖ）の間のＩＤ情報の伝送、受信、分析の技術は、無線ランやブルートゥース通信などの無線通信分野の公知技術であるので詳しい説明は省略する。
【００４０】
接触感知部（Ｒｅ）で有線パッド（Ｃｐ）と無線パッド（Ｄｐ）の接触を感知する技術は、エレベータの金属端子タッチスイッチや卓上用スタンドのタッチスイッチにすでに使用されている。この動作方式は、タッチ端子にヒトの手が接触すると、漏れ電流が端子から手に流れて端子の電圧が変化し、この変化を感知するか、端子に接続されたコンデンサーの静電容量の変化を感知する方式である。このような方式のタッチ感知法は、任意の導体が偶然端子に接触してもタッチが感知され、望まない入力機能が行われるという不具合がある。本発明の入力装置は、上記のような問題を解決するために以下の構成を採用することが好ましい。すなわち、図１１に示すように、有線パッド（Ｃｐ）に交流電源信号（ＡＣ）を印加し、無線パッド（Ｄｐ）の接触感知部（Ｒｅ）に抵抗Ｒと整流回路を含んで有線パッドが無線パッドに接触する間に整流された直流電圧（ＡとＢの間の電圧）を電源として使用して無線放射部（Ｗａ）から無線信号を放射する方式である。
【００４１】
すなわち、接触しない状態では無線放射部（Ｗａ）に印加される直流電源を自動的にｏｆｆさせる。整流されたＡとＢの間の電圧を平滑化する部分は図１１に示されていない。このようにすれば、本体部にのみ電源を含み、他の無線パッド（Ｄｐ）は電源を含まないので、使用者のバッテリ交換の負担を減らすことができる。
【００４２】
図１２は、本実施例の具体的な一形態である着るキーボードを示す。図１２において、本体（Ｍ）は腕時計のように着用し、腕時計型の本体と電線で接続される有線パッド（Ｃｐ）は指先に指ぬきのように着用する。この場合、使用者が有線パッド（Ｃｐ）が付着された指で袖に付着されている１６個の無線パッド（Ｄｐ）のうちの１つに接触すると、接触された無線パッドの固有ＩＤ情報が無線パッドから無線電波で放射され、腕時計型の本体で該電波を受信して分析してＩＤを検知し、このＩＤに対応するキー入力信号を発生させることができる。
【実施例６】
【００４３】
本実施例では、図１３に示すように、本体（Ｍ）に付着された有線パッド（Ｃｐ）が複数である場合を説明する。すなわち、複数の有線パッドと複数の無線パッド（Ｄｐ）で構成されている場合を説明する。詳しくは、例えば、左手に着用する手袋の手のひらと手の甲にそれぞれ有線パッド（Ｃｐ）が付着され、右手に着用する手袋の手のひらと手の甲に無線パッド（Ｄｐ）がそれぞれ付着されている場合である。使用者は、手袋を着用した状態で手のひらを合わせて叩いたり、手の甲を合わせて叩いて入力作業を行うことができる。このとき、両手の手袋にそれぞれ２つずつパッドがあるので全部で２×２＝４個のキー入力が可能である。すなわち（左手のひら、右手のひら）、（左手のひら、右手の甲）、（左手の甲、右手のひら）、（左手の甲、右手の甲）の４つである。両手にパッドがそれぞれＮ個である場合、全部でＮ×Ｎ個のキー入力が可能である。
【００４４】
交流電源信号（ＡＣ）は、本体のマイクロコントローラ（ＭＩ）により周期的に変化し、与えられるアドレス信号（Ａｄｄｒ）によりアナログマルチプレクサー（Ｍｕｘ）を介して一瞬間に１つの有線パッドに交互に繰り返して一定時間与えられる。すなわち、瞬間的に左手装部の第１パッド（Ｃｐ１）に交流信号（ＡＣ）が加えられ、第２パッド（Ｃｐ２）には何の信号も加えられない（すなわち、スイッチＳ１はＯｎ、スイッチＳ２はｏｆｆ）。この状態で使用者が拍手をして左右手袋のパッドが接触し、接触された無線パッドの無線信号放射部（Ｗａ）から放射された無線信号が本体の無線信号受信部（Ｒｖ）に受信されれば、この信号のＩＤを分析し感知して、左手装部の第１パッド（Ｃｐ１）とこのＩＤに対応する右手装部の無線パッドが互いに接触したことが分かる。このように接触した左右手袋のパッドの対が検出された場合、この対に対応するキー入力信号を発生させる。もし、無線信号が受信されない場合は、キー入力信号も発生させない。この後、マイクロコントローラ（ＭＩ）は、アドレス信号（Ａｄｄｒ）値を変更し、反対に左手装部の第１パッド（Ｃｐ１）には何の信号も加えず、第２パッド（Ｃｐ２）に交流信号を加え（すなわち、スイッチＳ１はｏｆｆ、スイッチＳ２はＯｎ）、これと並行して受信された無線信号を分析してキー入力信号を発生させるか、何の信号も発生せずに最初の段階に戻って繰り返す。これを以下に整理する。
【００４５】
左手装部の第１パッド（Ｃｐ１）に交流信号を加え、第２パッド（Ｃｐ２）には交流信号を加えない。
【００４６】
受信された無線信号がある場合は、信号を分析して接触した無線パッドＩＤが検知してキー入力信号を発生させる。
【００４７】
左手装部の第１パッド（Ｃｐ１）に交流信号を加えず、第２パッド（Ｃｐ２）に交流信号を加える。
【００４８】
受信された無線信号がある場合は、信号を分析して接触した無線パッドＩＤを検知してキー入力信号を発生させる。
【００４９】
（１）番に戻って（５）番まで繰り返す。
【００５０】
本実施例では、両手の手袋にそれぞれ２つずつのパッドが付着されているが、Ｎ個ずつのパッドが付着されている場合も同じ方式で動作する。すなわち、Ｎ個の有線パッドＣｐ１、Ｃｐ２、…Ｃｐｎと、Ｍ個の無線パッドＤｐ１、Ｄｐ２、…、ＤｐＭがある場合は次のように動作する（前記実施例５はＮ＝１の場合と同じである）。
【００５１】
（１）左手装部のｉ番目有線パッド（Ｃｐｉ）のパッド番号ｉを１とセットする。
【００５２】
（２）左手装部のｉ番目有線パッド（Ｃｐｉ）にのみ交流信号を印加し、他の有線パッドには何の信号も印加しない。
【００５３】
（３）受信された無線信号があれば、信号を分析して接触した無線パッドＩＤ番号ｊを検知して（ｉ、ｊ）番目キー入力信号を発生させる。
【００５４】
（４）ｉを１だけ増加させる。
【００５５】
（５）ｉがＮ＋１であればｉを１とセットする。
【００５６】
（６）（２）に戻って（６）まで繰り返す。
【実施例７】
【００５７】
実施例６の構成に無線パッドを追加して腰や膝に着用して入力作業を行う場合である。使用者が両手の手袋のパッドを叩いて接触して入力すると同時に、両手の手袋のパッドで腰や膝の無線パッドを叩いて入力を行う場合、単純に実施例６の構成に無線パッドを追加して腰や膝に付着すれば、左側手袋の有線パッドで腰や膝の無線パッドを叩いて入力することはできても、右側手袋で腰や膝の無線パッドを叩いて入力をすることはできない。この理由は、実施例６の右側手袋のパッドと膝や腰のパッドがすべて無線パッドであるためである。すなわち、入力を可能にするためには互いに接触した２つのパッドのうち１つが有線パッドで、もう１つは無線パッドでなければならない。このような問題点を解決するために本実施例では、右側手袋のパッドを有無線兼用パッド（Ｍｐ）で構成する例を説明する。具体的には、右側手袋のパッドは、一瞬間には無線パッド（Ｄｐ）として動作をし（これを無線動作モードだという）、次の瞬間は有線パッド（Ｃｐ）として動作をする（これを有線動作モードという）。このような無線動作モードと有線動作モードの間を一定周期で往復しながら動作する。
【００５８】
具体的な構成は図１４に示すとおりである。すなわち、第１本体（Ｍ１）は左側手袋に、第２本体（Ｍ２）は右側手袋に付着され、無線パッドＤｐ１、Ｄｐ２は腰に付着されている。第１本体のマイクロコントローラ（Ｍｉ１）は、活性／非活性信号（Ｄｉｓ１）によりマルチプレクサー（Ｍｕｘ１）の活性／非活性をコントロールするようになっている。例えば、活性／非活性信号（Ｄｉｓ１）値が５ボルトであれば活性化、０ボルトであれば非活性化である。ここで、マルチプレクサー（Ｍｕｘ１）が非活性化することは、マルチプレクサー（Ｍｕｘ１）内のすべてのスイッチがｏｆｆになることを意味する。このような活性／非活性信号（Ｄｉｓ１）は、ｎｏｔ  ｇａｔｅ（ＮＧ１）を通じて論理が反転された動作モード信号（Ｅｎ）に変わり、動作モード電波送信部（ＣｋＴｘ）を通じて無線電波で送信される。第２本体には、第１本体から送信された動作モード信号（Ｅｎ）の電波を受信して解釈する動作モード電波受信部（ＣｋＲｘ）がマイクロコントローラ（Ｍｉ２）に接続されている。第２本体の動作モード電波受信部（ＣｋＲｘ）に受信された動作モード信号（Ｅｎ）は、マイクロコントローラ（Ｍｉ２）を介して第２アナログマルチプレクサー（Ｍｕｘ２）に活性／非活性（Ｅｎａｂｌｅ／Ｄｉｓａｂｌｅ）信号として印加される。また、前記動作モード信号（Ｅｎ）は、マイクロコントローラ（Ｍｉ２）を介してｎｏｔ  ｇａｔｅ（ＮＧ２）を通過した後、論理値が反転されてスイッチ（Ｓ５、Ｓ６）が１つずつ含まれた他のマルチプレクサー（Ｍｕｘ３、Ｍｕｘ４）に印加される。
【００５９】
例えば、第１本体（Ｍ１）が動作モード情報（Ｅｎ）の０ボルト（論理値０）と５ボルト（論理値１）を一定周期で反復して電波で送信する場合を説明する。第２本体（Ｍ２）の動作モード電波受信部（ＣｋＲｘ）で受信された動作モード情報が０であれば、ｗｐ１アナログマルチプレクサー（Ｍｕｘ１）は活性化し、第２アナログマルチプレクサー（Ｍｕｘ２）は非活性化し、スイッチが１つであるアナログマルチプレクサー（Ｍｕｘ３、Ｍｕｘ４）は活性化する。すなわち、有無線兼用パッド（Ｍｐ１、Ｍｐ２）は無線パッドとして動作するようになる。
【００６０】
第２本体（Ｍ２）の動作モード電波受信部（ＣｋＲｘ）で受信された動作モード情報が１であれば、第１アナログマルチプレクサー（Ｍｕｘ１）は非活性化し、第２アナログマルチプレクサー（Ｍｕｘ２）は活性化し、スイッチが１つであるアナログマルチプレクサー（Ｍｕｘ３、Ｍｕｘ４）は非活性化する。すなわち、有無線兼用パッド（Ｍｐ１、Ｍｐ２）は有線パッドとして動作するようになる。このとき、第１アナログマルチプレクサー（Ｍｕｘ１）が非活性化であるので、第１本体（Ｍ１）のパッド（Ｃｐ）は何の役割もしない。
【００６１】
第２アナログマルチプレクサー（Ｍｕｘ２）が活性化する間は、前記実施例６と同様の方式で第２マイクロコントローラ（Ｍｉ２）は、第２アドレス値（Ａｄｄｒ２）を順次に繰り返して変化させて有無線兼用パッド（Ｍｐ１、Ｍｐ２）を有線パッドとして動作するようにし、これと並行して無線信号受信部（Ｒｖ２）に受信された電波があれば、この電波の情報を分析してキー値を生成して通信部（ＣＭ２）を通じて外部装置にキー入力信号を伝送する。
【００６２】
同様に、第１アナログマルチプレクサー（Ｍｕｘ１）が活性化する間は、前記実施例６と同様の方式で第１マイクロコントローラ（Ｍｉ１）は、第１アドレス値（Ａｄｄｒ１）を順次に繰り返して変化させ、第１本体に接続されたパッド（Ｃｐ１、Ｃｐ２）を有線パッドとして動作するようにし、これと並行して無線信号受信部（Ｒｖ１）に受信された電波があれば、この電波の情報を分析してキー値を生成して通信部（ＣＭ１）を通じて外部装置にキー入力信号を伝送する。
【実施例８】
【００６３】
本実施例では、マウスやジョイスティックのようなポインティング機能の入力装置について説明する。具体的な構成は、図１５に示すように、織物形態の複数の有線パッド（Ｃｐｘ１〜Ｃｐｘ４、Ｃｐｙ１〜Ｃｐｙ４）と、スタイラスペン形態の無線パッド（Ｄｐ）が１つ形成されている。このようなペン形態の無線パッドは、前記実施例４で定義したスタイラスペン型パッド部になる。織物の形態は図７に示されている。すなわち、実施例４と同じ構成の織物である。無線パッド（Ｄｐ）は、図８に示すスタイラスペン先や手袋の指先（Ｐｆ）に付着されることが好ましい。このような無線パッド（Ｄｐ）が織物形態の有線パッドに接触する部分は、図１５にＣＤＰで示した。すなわち、織物を構成する有線パッドは互いに絶縁されており、充分細く細かいので、最小限２つ以上の隣接する横糸と、２つ以上の隣接する縦糸の有線パッドが同時に無線パッド（Ｄｐ）に接触するようになっている。前記実施例４に示したポインティング装置では、任意の導体が織物形態の導電性パッドに接触するとポインティング機能が動作する。よって、金属物体が多い環境で活動的な使用者がこのような装置を使用する場合、誤って入力されることが発生する。しかし、本実施例のポインティング装置は、任意の導体の代わりに特定ＩＤ値を電波で放射することができる無線パッドが織物形態の導電性パッドに接触するときのみ入力が可能であるので、上記のような問題は発生しない。
【００６４】
次に、動作方式を説明する。図１５に示すように、横糸と縦糸を構成する有線パッド（Ｃｐｘ１〜Ｃｐｘ４、Ｃｐｙ１〜Ｃｐｙ４）がそれぞれ４つずつ織物形態に形成されており、各有線パッドは、アナログマルチプレクサー（Ｍｕｘ）の一端に接続され、アナログマルチフレクサーのスイッチの共通端子である他の一端は、交流の電源（ＡＣ）の一端に接続されている。本体（Ｍ）に含まれたマイクロコントローラ（Ｍｉ）は、アナログマルチプレクサー（Ｍｕｘ）に印加されるアドレス信号（Ａｄｄｒ）を周期的に変化させて、一時に１つの有線パッドにのみ順次に電源（ＡＣ）が印加されるようにする。例えば、マルチプレクサー内にスイッチがＮ個ある場合、アドレス信号（Ａｄｄｒ）値が１、２、３、…．、Ｎと順次に増加すれば、Ｏｎ状態のスイッチは１番、２番、３番、…、Ｎ番スイッチに変わる。図１５で、有線パッドＣｐｘｉに接続されたマルチプレクサー（Ｍｕｘ）内のスイッチをＳｘｉと示し、有線パッドＣｐｙｊに接続されたマルチプレクサー（Ｍｕｘ）内のスイッチをＳｙｊと示した。ここで、有線パッドＣｐｘｉのｉは、ポインティング装置のポイントのｘ軸座標値（１〜４）に対応し、有線パッドＣｐｙｊのｊは、ポインティング装置のポイントのｙ軸座標値（１〜４）に対応する。本実施例の装置を実際に製造する際には、座標値の最大値を４よりさらに大きい数とすることが好ましい。
【００６５】
マイクロコントローラは、一定周期でアドレス値（Ａｄｄｒ）を順次に増加させて出力し、マルチフレクサー内の１つのスイッチを順次にＯｎ状態にし、他のスイッチはすべてＯｆｆ状態にすると同時に、無線信号受信部（Ｒｖ）に受信された電波があるかどうかを確認する。受信された電波がなければ、無線パッドと有線パッドが接触していないことを意味するので、ポイント座標入力信号を発生させない。受信された電波があれば、無線パッド（Ｄｐ）が有線パッド（Ｃｐｘ１〜Ｃｐｘ４、Ｃｐｙ１〜Ｃｐｙ４）に接触したことを意味するので、この瞬間Ｏｎになったマルチプレクサー（Ｍｕｘ）内のスイッチのｘまたはｙ座標値、すなわちｉまたはｊ値を記録する。このようにマルチプレクサー内のすべてのスイッチが１度ずつＯｎ状態になった場合は（これを１周期のスキャンという）、これまで記録されたスイッチの座標の平均値を求めてポイント座標値とする。このようにして得られたポイント座標値を通信部（ＣＭ）を通じて外部装置に伝送する。もし全くスイッチの座標値が記録されてない場合は、ポイントの座標値を伝送しない。例えば、図１５のＣＤＰ領域に無線パッド（Ｄｐ）が接触した場合、１周期のスキャンを実行すれば、４つの有線パッドＣｐｘ２、Ｃｐｘ３、Ｃｐｙ３、Ｃｐｙ４に接続されたマルチプレクサー（Ｍｕｘ）内のスイッチｓｘ２、ｓｘ３、ｓｙ３、ｓｙ４がＯｎになる瞬間のみ無線信号受信部（Ｒｖ）で電波が受信され、このときのＯｎ状態スイッチのｘ座標の２、３とｙ座標の３、４が記録される。よって、このように記録されたｘ座標の平均値は２．５であり、ｙ座標の平均値は３．５であり、この値（２．５、３．５）がポイント入力座標になる。１周期のスキャンが終われば、上記のように記録された座標はすべて消され、再び新しいスキャンを繰り返して座標を求めるようになる。このようなスキャンは１秒に数百回程度の非常に速い速度で反復されるので、使用者が無線パッド（Ｄｐ）を動かして無線パッドの織物に接触する領域（ＣＤＰ）の位置が変われば、ポイントの座標値も変わる。
【実施例９】
【００６６】
本実施例及び以下の実施例では、電波を使用せず一部のパッドと本体の間の電線を省略した準無線方式の構成を説明する。図１６は、２つの互いに異なる交流信号発生パッド（Ｄｐｄ１、Ｄｐｄ２）と、１つの信号入力パッド（Ｃｐｄ）で構成された準無線方式の構成を示し、図１７は、図１６の具体的な例を示す。図１６の交流信号発生部（ｇｅｎ１、ｇｅｎ２）から発生する互いに異なる交流信号は、それぞれのパッド（Ｄｐｄ１、Ｄｐｄ２）に印加される。ここで互いに異なる交流とは、周波数変調、振幅変調、位相変調、コード変調などの区別可能な任意の互いに異なる信号をすべて含む。このような互いに異なる固有の信号が印加されるパッド（Ｄｐｄ１、Ｄｐｄ２）は、互いに接触しないように間隔を置いて配置された状態で右手装部を構成する。例えば、１つのパッド（Ｄｐｄ１）は右手装の手のひらに付着され、他の１つのパッド（Ｄｐｄ２）は右手装の手の甲に付着される。左手装部には本体と電線で連結されるパッド（Ｃｐｄ）が含まれる。右手装部のパッド（Ｄｐｄ１、Ｄｐｄ２）は、本体（Ｍ）と電線で接続されない。左手装のパッド（Ｃｐｄ）には交流信号を認識する交流信号認識部（Ｒｅｃｏｇ）が接続されている。ここで交流信号を認識することは、左手装部のパッド（Ｃｐｄ）に接触した右手装部のパッドに印加された信号がどの交流信号発生部による信号であるかを区別するという意味である。例えば、交流信号発生部（ｇｅｎ１、ｇｅｎ２）で周波数変調された互いに異なる交流信号を発生させる場合は、交流信号認識部（Ｒｅｃｏｇ）は交流の周波数を認識する機能をし、交流信号発生部（ｇｅｎ１、ｇｅｎ２）でモールス符号のようなコード変調された互いに異なる交流信号を発生させる場合は、交流信号認識部（Ｒｅｃｏｇ）は交流のモールス符号を認識する機能をするという意味である。交流信号認識部（Ｒｅｃｏｇ）は、認識された交流信号情報をマイクロコントローラ（Ｍｉ）に伝達し、マイクロコントローラ（Ｍｉ）は、前記交流信号認識部（Ｒｅｃｏｇ）から受信した交流信号情報に対応するキー値を発生させ、通信部（ＣＭ）を通じて外部装置に入力信号を伝送する。
【００６７】
図１７には、図１６の交流信号発生部（ｇｅｎ１、ｇｅｎ２）の具体的な例として、互いに異なる周波数ｆ１、ｆ２を発生させる交流電源（ＡＣ１、ＡＣ２）が示され、図１６の交流信号認識部（Ｒｅｃｏｇ）の具体的な例としてそれぞれ特定周波数信号のみ通過させるバンドパスフィルター（ｂａｎｄ  ｐａｓｓ  ｆｉｌｔｅｒ）（Ｆｌｔ１、Ｆｌｔ２）と、交流信号を直流に整流する整流回路（Ｒｅ１、Ｒｅ２）が示されている。ここで整流回路（Ｒｅ１、Ｒｅ２）は、図１１の接触感知部（Ｒｅ）の整流回路と同一である。すなわち、整流回路（Ｒｅ１、Ｒｅ２）の出力端子（Ａ１、Ａ２）は、図１１の出力端子（Ａ）に該当する。バンドパスフィルター（Ｆｌｔ１、Ｆｌｔ２）は、それぞれ自分の固有周波数（ｆ１、ｆ２）のみを通過させる。このため、左手装部のパッド（Ｃｐｄ）に右手装部の第１のパッド（Ｄｐｄ１）が接触する場合、右手装部の第１のパッド（Ｄｐｄ１）には第１の交流発生部（ＡＣ１）により周波数ｆ１の交流信号が印加されているため、この信号は第１バンドパスフィルター（Ｆｌｔ１）は通過し、第２バンドパスフィルター（Ｆｌｔ２）は通過することができない。第１バンドパスフィルター（Ｆｌｔ１）を通過した信号は、第１整流回路（Ｒｅ１）で整流されて０より大きい直流電圧が出力端子（Ａ１）から出力される。この場合、第２整流回路（Ｒｅ２）の出力端子（Ａ２）には０ボルトが出力される。マイクロコントローラ（Ｍｉ）は、２つの出力端子（Ａ１、Ａ２）の電圧を測定して、第１出力端子（Ａ１）の電圧が０ボルト以上で、第２出力端子（Ａ２）の電圧が０ボルトであれば、左手装部のパッド（Ｃｐｄ）に右手装部の第１パッド（Ｄｐｄ１）が接触したと判断する。反対に、右手装部の第２パッド（Ｄｐｄ２）が左手装部のパッド（Ｃｐｄ）に接触すれば、整流回路の第１出力端子（Ａ１）は０ボルトで、第２出力端子（Ａ２）は０より大きい電圧になり、マイクロコントローラはこのような電圧を測定することによって左手装部のパッド（Ｃｐｄ）に右手装部の第２パッド（Ｄｐｄ２）が接触したことを認識することができる。本実施例では、互いに異なる交流信号で互いに異なる周波数の交流信号（すなわち周波数変調された信号）を例に挙げたが、周波数変調の他に区別可能なすべての変調を含む。
【実施例１０】
【００６８】
本実施例では、前記実施例９の本体に電線で接続されたパッド（Ｃｐｄ）が複数個である例を説明する。具体的には図１８に示すように、左手装部の２つのパッド（Ｃｐｄ１、Ｃｐｄ２）がアナログマルチプレクサー（Ｍｕｘ）を介して交流信号認識部（Ｒｅｃｏｇ）に接続されている。この場合、マイクロコントローラ（Ｍｉ）は、パッド選択信号（Ａｄｄｒ）でアナログマルチプレクサー（Ｍｕｘ）内のスイッチ（Ｓ１、Ｓ２）のうちの１つだけＯｎにし、他のスイッチはＯｆｆにして、左手装部の複数のパッド（Ｃｐｄ１、Ｃｐｄ２）のうち一瞬間に１つのパッドのみ交流信号認識部（Ｒｅｃｏｇ）に接続される。マイクロコントローラは、パッド選択信号（Ａｄｄｒ）を一定時間ごとに変化させて順次に一瞬間に１つのパッドを選択すると同時に、交流信号認識部（Ｒｅｃｏｇ）から認識した接触パッド情報を検知する。以下に詳細に説明する。
【００６９】
１．マイクロコントローラ（Ｍｉ）は、適当なアドレス信号（Ａｄｄｒ）を出力してアナログマルチプレクサー（Ｍｕｘ）内のスイッチＳ１をＯｎにし、Ｓ２をＯｆｆにする。
【００７０】
２．マイクロコントローラ（Ｍｉ）は、交流信号認識部（Ｒｅｃｏｇ）からの信号に基づいてアドレス信号（Ａｄｄｒ）によって選択された左手装部のパッドに接触したパッドが右手装部の第１パッド（Ｄｐｄ１）であるか、右手装部の第２パッド（Ｄｐｄ２）であるかを認識する。
【００７１】
３．左手装部の第１パッド（Ｃｐｄ１）に接触した右手装部のパッドがある場合、接触したパッドの対に対応するキー入力信号を発生させる。
【００７２】
４．マイクロコントローラ（Ｍｉ）は、アドレス信号（Ａｄｄｒ）を変更してＳ１はＯｆｆにし、Ｓ２はＯｎにして上記２、３の過程を繰り返す。
【００７３】
５．上記の１〜５の過程を繰り返す。
【００７４】
本実施例では、パッド数が左右側手袋にそれぞれ２つずつである場合、全部で２×２＝４個のキー入力方式を説明したが、これ以上の場合も動作原理は同じである。
【実施例１１】
【００７５】
本実施例では、前記実施例１０の構成に図１９に示した複数の非手装部のパッドを追加する場合を説明する。具体的には図１９には、２つの非手袋部パッド（Ｎｐｄ３、Ｎｐｄ４）が示されている。図１９に示すように、左手装部のパッドの２つのパッド（Ｃｐｄ１、Ｃｐｄ２）は第１本体（Ｍ１）に電線で接続されており、右手装部の２つのパッド（Ｄｐｄ１、Ｄｐｄ２）は第２本体（Ｍ２）に電線で接続されている。より詳細には、左手装部の第１パッド（Ｃｐｄ１）は左手装の手のひら、左手装部の第２パッド（Ｃｐｄ２）は左手装の手の甲に付着され、右手装部の第１パッド（Ｄｐｄ１）は右手装の手のひら、右手装部の第２パッド（Ｄｐｄ２）は右手装の手の甲に付着されている。そして、非手装部の第１パッド（Ｎｐｄ３）は左側膝に付着され、非手装部の第２パッド（Ｎｐｄ４）は右側膝に付着されている。第２本体（Ｍ２）の第２マイクロコントローラ（Ｍｉ２）は、活性／非活性信号（Ｅｎ）により第２アナログマルチプレクサー（Ｍｕｘ２）を活性または非活性化させることができる。第１アナログマルチプレクサー（Ｍｕｘ１）は、第１本体（Ｍ１）に含まれている。このとき、活性／非活性信号（Ｅｎ）は、Ｎｏｔ  ｇａｔｅ（ＮＧ）によって論理信号が反転されてスイッチＳ５、Ｓ６に印加される。スイッチＳ５、Ｓ６は、それぞれスイッチが１つずつ入っているアナログマルチプレクサーである。すなわち、第２アナログマルチプレクサー（Ｍｕｘ２）が活性化すれば、スイッチＳ５、Ｓ６は非活性化してＳ５、Ｓ６がすべてＯｆｆになり、反対に、第２アナログマルチプレクサー（Ｍｕｘ２）が非活性化して第２アナログマルチプレクサー（Ｍｕｘ２）内のすべてのスイッチがＯｆｆになれば、Ｓ５、Ｓ６はすべてＯｎになる。第２マイクロコントローラ（Ｍｉ２）は、周期的に活性／非活性信号（Ｅｎ）を変化させて第２アナログマルチプレクサー（Ｍｕｘ２）が活性化状態と非活性化状態の間を繰り返して往復するようにする。第２アナログマルチプレクサー（Ｍｕｘ２）が非活性化状態と活性化状態であるときの動作方式は以下のとおりである。
【００７６】
（１）第２アナログマルチプレクサー（Ｍｕｘ２）が非活性化状態であるときの動作方式：
活性／非活性信号（Ｅｎ）により第２アナログマルチプレクサー（Ｍｕｘ２）が非活性化する瞬間はスイッチＳ５、Ｓ６がすべてＯｎになり、右手装部の第１パッド（Ｄｐｄ１）は第１交流信号発生部（ｇｅｎ１）に接続され、第２パッド（Ｄｐｄ２）は第２交流信号発生部（ｇｅｎ２）に接続される。ここで、４つの交流信号発生部（ｇｅｎ１、ｇｅｎ２、ｇｅｎ３、ｇｅｎ４）、すべて区別可能な互いに異なる交流信号を発生させる。例えば、区別可能な互いに異なる周波数の交流信号を発生させる。第１本体（Ｍ１）の第１マイクロコントローラ（Ｍｉ１）は、前記実施例１０で説明した方法で第１本体に接続されたパッド（Ｃｐｄ１、Ｃｐｄ２）に接触したパッドがＤｐｄ１、Ｄｐｄ２、Ｎｐｄ３、Ｎｐｄ４のうちどのパッドであるかを検出し、接触したパッドの対に対応する入力信号を発生させて、通信部（ＣＭ１）を通じて外部装置に伝送する。
【００７７】
（２）第２アナログマルチプレクサー（Ｍｕｘ２）が活性化状態であるときの動作方式：
活性／非活性信号（Ｅｎ）により第２アナログマルチプレクサー（Ｍｕｘ２）が活性化した瞬間はスイッチＳ５、Ｓ６がすべてＯｆｆになり、右手装部のパッド（Ｄｐｄ１とＤｐｄ２）は、第２アナログマルチプレクサー（Ｍｕｘ２）のスイッチ（Ｓ３、Ｓ４）を介して第２交流信号認識部（Ｒｅｃｏｇ２）に接続される。この場合、第２本体（Ｍ２）の第２マイクロコントローラ（Ｍｉ２）は、前記実施例１０の方法により非手袋部のパッド（Ｎｐｄ３、Ｎｐｄ４）と第２本体のパッド（Ｄｐｄ１、Ｄｐｄ２）の間の接触を感知して接触した対に対応するキー入力信号を発生させて第２通信部（ＣＭ２）を通じて外部装置に伝送する。
【実施例１２】
【００７８】
本実施例では、図２０に示すように、織物形パッドを含む準無線方式のポインティング装置を説明する。交流信号発生部（ｇｅｎ）に接続された導電性パッド（Ｄｐ）は、スタイラスペン先または指先に付着される。このようなスタイラスペン形態のパッドと交流信号発生部は、前記実施例４で定義したスタイラスペン型パッド部になる。このようなスタイラスペン型パッドで織物の横糸と縦糸を構成する導電性パッド（Ｃｐｘ１〜Ｃｐｘ４、Ｃｐｙ１〜Ｃｐｙ４）の一領域（ＣＤＰ）を接触すれば、この接触位置を本体（Ｍ）のマイクロコントローラ（ＭＩ）が認識し、該当位置に対応する座標値を算出して通信部（ＣＭ）を通じて外部装置に伝送する。具体的な動作方式は以下のとおりである。
【００７９】
導電性パッド（Ｃｐｘ１〜Ｃｐｘ４、Ｃｐｙ１〜Ｃｐｙ４）は、前記実施例４及び実施例８で説明した織物形態と同じである。すなわち、図７に示すように、それぞれの導電性パッドは互いに絶縁された状態で織物形態を有する。このような導電性パッドは、本体（Ｍ）のアナログマルチプレクサー（Ｍｕｘ）を介して交流信号認識部（Ｒｅｃｏｇ）に接続される。本体のマイクロコントローラ（Ｍｉ）は、スイッチ選択信号（Ａｄｄｒ）を利用して一瞬間に１つのスイッチのみＯｎにし、織物を構成する導電性パッド（Ｃｐｘ１〜Ｃｐｘ４、Ｃｐｙ１〜Ｃｐｙ４）のうちの１つのパッドのみ交流信号認識部（Ｒｅｃｏｇ）に接続させる。パッド選択信号（Ａｄｄｒ）と交流認識部（Ｒｅｃｏｇ）を介してスタイラスペン型パッド（Ｄｐ）と接触した織物を構成する導電性パッドを検知する方法は、前記実施例１０の方法と同じである。すなわち、図２０のパッド（Ｃｐｘ１〜Ｃｐｘ４、Ｃｐｙ１〜Ｃｐｙ４）は、図１８のＣｐｄ１、Ｃｐｄ２に該当する。また、図２０のパッドＤｐは、図１８のＤｐｄ１、Ｄｐｄ２のうちの１つに該当する。接触したパッドからポインティング装置の座標を算出する方法は、前記実施例８と同じである。すなわち、本実施例は接触を感知する方法が異なるだけで、接触したパッドから座標を求める方法は、前記実施例８と同じである。
【実施例１３】
【００８０】
織物形パッドを含まない前記実施例１、２、３、５、６、７、９、１０、１１の端子形パッドは、振動センサーをさらに備えることができる。この場合、パッドが互いに接触した瞬間振動センサーからの振動強度出力信号をマイクロコントローラが解釈してパッドが接触した打撃の強度を検知することができ、この強度情報を通信部を通じて外部装置に伝送することができる。この場合、本発明の入力装置に含まれる振動センサーの数を最小化するために手袋部のパッドに振動センサーを含むことが好ましい。一般的にキーボード入力ではどのキーが押されたかを知れば充分であるが、本発明の入力装置をゲームプログラムに入力してゲームを行う場合、入力されるキーの信号、すなわち、互いに接触したパッド情報とともに打撃強度情報を利用すれば、よりリアルなゲームを楽しむことができる。例えば、楽音リズムゲームの場合、打撃強度に比例する音量の楽器音や音響効果を発生させることができる。すなわち、互いに接触したパッドの対に互いに異なる音色の楽器音を割り当て、パッドが接触した打撃強度に比例する音量の音を発生させることにより、本発明の入力装置を電子楽器の入力装置として使用することができる。特に、端子形導電性パッドを膝や腰に付着し、パッドが付着された手袋を着用してエアロビクスやダンスをしながらパッドを叩いてドラム演奏をすることも可能である。このように、本発明の入力装置を電子ドラム装置に適用すれば、従来はドラム演奏だけあるいは踊りだけ可能であったが、本発明によれば、ドラム演奏と踊りを同時に行うことができる。
【図面の簡単な説明】
【００８１】
【図１】本発明の外観構成図。
【図２】実施例１の回路図。
【図３】４つの導電性パッドが付着されたマイクロコントローラの出力ポートに出力する電気信号のタイミング図。
【図４】実施例２の回路図。
【図５】実施例３の回路図。
【図６】図２の出力信号を利用して叩いたパッドを検出する方法のフローチャート。
【図７】織物状非手袋型パッドの構成図。
【図８】織物状非手袋型パッドを利用して座標を入力する様子を示す図。
【図９】実施例４の回路図。
【図１０】実施例５の構成図。
【図１１】実施例５の回路図。
【図１２】実施例５の接触キーボードの外形図。
【図１３】実施例６の構成図。
【図１４】実施例７の構成図。
【図１５】実施例８の構成図。
【図１６】実施例９の構成図。
【図１７】実施例９の詳細な構成図。
【図１８】実施例１０の構成図。
【図１９】実施例１１の構成図。
【図２０】実施例１２の構成図。
【符号の説明】
【００８２】
Ｍ、Ｍ１、Ｍ２…本体部
ＰｕＲ…右手装の手の甲のパッド
ＰｕＬ…左手装の手の甲のパッド
ＰｄＲ…右手装の手のひらのパッド
ＰｄＬ…左手装の手のひらのパッド
Ｐｃ…膝に付着したパッド
Ｗ…電線
ＣＭ…通信部
ｔ１…２つの導電性パッドが接触し始める時刻
ｔ２…２つの導電性パッドが接触した状態から接触しない状態に変わる時刻
Ｐｍ…織物状導電性パッド
Ｒｇ…右手装部
Ｌｇ…左手装部
Ｍｉ…マイクロコントローラ
Ｖｃｃ…電源電圧（５Ｖ）
Ｔｐ…薄い不導体テープ
Ｃｔ…導電性コーティング物質
Ｐｆ…指先またはスタイラスペン先の導電性パッド
Ｃｐ、Ｃｐｘ、Ｃｐｙ…有線パッド
Ｄｐ…無線パッド
Ｒｖ…無線信号受信部
Ｒｅ…接触感知部
Ｗａ…無線信号放射部
ＡＣ…交流電源
Ｒ…抵抗
Ａｄｄｒ、Ａｄｄｒ１、Ａｄｄｒ２…アドレス信号
Ｍｕｘ、Ｍｕｘ１、Ｍｕｘ２、Ｍｕｘ３、Ｍｕｘ４…アナログマルチプレクサー
ＮＧ１、ＮＧ２…ｎｏｔ  ｇａｔｅ
ＣｋＴｘ…動作モード電波送信部
ＣｋＲｘ…動作モード電波受信部
Ｃｄｐ、Ｄｐｄ、Ｎｐｄ…導電性パッド
ｇｅｎ…交流信号発生部
ｒｅｃｏｇ…交流信号認識部
Ｆｌｔ…バンドパスフィルター
【図１】
2008545176.tif 000003
【図２】
2008545176.tif 000004
【図３】
2008545176.tif 000005
【図４】
2008545176.tif 000006
【図５】
2008545176.tif 000007
【図６】
2008545176.tif 000008
【図７】
2008545176.tif 000009
【図８】
2008545176.tif 000010
【図９】
2008545176.tif 000011
【図１０】
2008545176.tif 000012
【図１１】
2008545176.tif 000013
【図１２】
2008545176.tif 000014
【図１３】
2008545176.tif 000015
【図１４】
2008545176.tif 000016
【図１５】
2008545176.tif 000017
【図１６】
2008545176.tif 000018
【図１７】
2008545176.tif 000019
【図１８】
2008545176.tif 000020
【図１９】
2008545176.tif 000021
【図２０】
2008545176.tif 000022
【国際調査報告】
2008545176.tif 000023
2008545176.tif 000024
2008545176.tif 000025